(57)【要約】【課題】エリアワンセグ放送を行うシステムにおいて、中継局に回り込みキャンセラを設けることなく、放送信号を同一チャンネルで再送信できるようにする。【解決手段】放送局４から、放送用信号（ＯＦＤＭ）と、この放送信号と同一のデータ構成で周波数帯域が第１中継用セグメントに設定された第１中継用信号と、からなる送信電波を送信させる。また、中継局８ａでは、放送局４から送信された第１中継用信号を周波数変換することにより、放送用信号及び第２中継用信号を生成して、送信アンテナ７から送信し、中継局８ｂでは、中継局８ａから送信された第２中継用信号を周波数変換することにより、放送用信号及び第１中継用信号を生成して、送信アンテナ７から送信する。この結果、各中継局８ａ、８ｂで、自身が送信した送信電波の回り込みの影響を受けることなく、放送信号及び中継用信号を再送信することができる。【選択図】図１
2013214885.tif 000002
【特許請求の範囲】
【請求項１】
デジタルテレビ放送１チャンネルを構成する複数のセグメントの内、特定の一つのセグメントを使ってワンセグ放送を行うワンセグ放送システムであって、
前記ワンセグ放送用の放送データから、予め設定された特定放送チャンネルの特定セグメントのＯＦＤＭ信号を生成し、該生成したＯＦＤＭ信号を放送電波として送信する放送局と、
前記放送局からの送信電波を受信し、該受信信号から前記特定放送チャンネルの特定セグメントのＯＦＤＭ信号を選局すると共に、該選局したＯＦＤＭ信号を、前記特定放送チャンネル内で、前記特定セグメントとは異なるセグメントに周波数変換し、該周波数変換後のＯＦＤＭ信号を放送電波として再送信する中継局と、
を備えたことを特徴とするワンセグ放送システム。
【請求項２】
前記放送局は、前記ワンセグ放送用の放送データから、前記ワンセグ放送用に割り当てられた放送用セグメントとは異なる中継用セグメントのＯＦＤＭ信号を生成して送信し、
前記中継局は、前記放送局からの送信電波を受信し、該受信信号から前記中継用セグメントのＯＦＤＭ信号を選局し、該選局したＯＦＤＭ信号を前記放送用セグメントに周波数変換して再送信し、
しかも、前記放送局は、前記中継用セグメントのＯＦＤＭ信号を生成する際、該ＯＦＤＭ信号に、前記ワンセグ放送用に割り当てられた放送用セグメントを表すパイロット信号を付加することを特徴とする請求項１に記載のワンセグ放送システム。
【請求項３】
前記放送局は、前記ワンセグ放送用の放送データから、前記ワンセグ放送用に割り当てられた放送用セグメントのＯＦＤＭ信号を生成して送信し、
前記中継局は、前記放送局からの送信電波を受信し、該受信信号から前記放送用セグメントのＯＦＤＭ信号を選局し、該選局したＯＦＤＭ信号を前記放送用セグメントとは異なる中継用セグメントのＯＦＤＭ信号に周波数変換して再送信し、
更に、前記中継局からの送信電波を受信し、該受信信号から前記中継用セグメントのＯＦＤＭ信号を選局し、該選局したＯＦＤＭ信号を前記放送用セグメントに周波数変換して再送信する送信局、を備えたことを特徴とする請求項１に記載のワンセグ放送システム。
【請求項４】
前記放送局は、
前記ワンセグ放送用の放送データから、ワンセグ放送用に割り当てられた放送用セグメントのＯＦＤＭ信号を生成すると共に、該生成した放送用セグメントのＯＦＤＭ信号と信号形態及び放送チャンネルが同じで、セグメントが異なる第１中継用セグメントのＯＦＤＭ信号を生成し、該生成した２つのセグメントのＯＦＤＭ信号を放送電波として送信し、
前記中継局は、
前記放送局からの送信電波を受信し、該受信信号から前記第１中継用セグメントのＯＦＤＭ信号を選局し、該選局した第１中継用セグメントのＯＦＤＭ信号を、前記特定放送チャンネル内で前記第１中継用セグメント及び前記放送用セグメントとは異なる第２中継用セグメントに周波数変換し、該周波数変換した第２中継用セグメントのＯＦＤＭ信号を、放送電波として再送信することを特徴とする請求項１に記載のワンセグ放送システム。
【請求項５】
前記中継局は、
前記選局した第１中継用セグメントのＯＦＤＭ信号を、前記第２中継用セグメントと前記放送用セグメントとの２つのセグメントに周波数変換し、該周波数変換した２つのセグメントのＯＦＤＭ信号を、前記放送電波として再送信することを特徴とする請求項４に記載のワンセグ放送システム。
【発明の詳細な説明】
【技術分野】
【０００１】
本発明は、デジタルテレビ放送１チャンネルを構成する複数のセグメントの内、特定の一つのセグメントを使ってワンセグ放送を行うワンセグ放送システムに関する。
【背景技術】
【０００２】
従来、地上デジタルテレビ放送では、一つの放送チャンネルに割り当てられる６ＭＨｚの周波数帯域内に、周波数帯域幅が約４２９ｋＨｚのセグメントを１３個割り当て、そのうち、周波数軸上で中央に配置される１つのセグメントを使用してワンセグ放送（ワンセグメント放送）を行い、残りの１２セグメントを利用してフルセグ放送（フルセグメント放送）を行っている（例えば、特許文献１参照）。
【０００３】
また、地上デジタルテレビ放送の一つとして、フルセグ放送は行わず、特定の地域で、放送チャンネル内の１セグメントだけを利用してワンセグ放送を行う、エリア放送型システム（以下、エリアワンセグ放送という）も知られている。
【０００４】
このエリアワンセグ放送は、例えば、防災情報や広報等、地域特有の情報を地域内の受信端末に配信するのに利用される。
そして、このエリアワンセグ放送でも、他の放送と同様、放送局からの送信電力が電波法等で規制されることから、放送局からの送信電波が地域全体に届かず、放送局からの送信電波が届かない地域内に放送電波を再送信する中継局を設置しなければならないことがある。
【０００５】
ところで、地上デジタルテレビ放送の中継局としては、放送局側から送信されてきたＵＨＦ帯のテレビ放送信号を、ＳＨＦ帯のテレビ放送信号に周波数変換して再送信するものが知られている（例えば、特許文献２参照）。
【０００６】
また、特許文献２に記載のように、放送局側から送信されてきたＵＨＦ帯のテレビ放送信号の放送チャンネルを変更することなく、受信した放送チャンネル（換言すれば周波数）の状態でそのまま再送信する、所謂ＳＦＮ（Single Frequency Network）方式のものも知られている。
【０００７】
そして、上述したエリアワンセグ放送の放送電波を中継する際には、こうした従来と同様の中継方式を採用できる。
【先行技術文献】
【特許文献】
【０００８】
【特許文献１】特開２００７−１９８９３６号公報
【特許文献２】特開２０００−７８０６４号公報
【発明の概要】
【発明が解決しようとする課題】
【０００９】
ところで、エリアワンセグ放送の中継方式として、受信信号をＳＨＦ帯に周波数変換する中継方式を採用すると、中継用の装置として、ＳＨＦ帯の電波を送受信可能なパラボラアンテナや、ＳＨＦ帯の信号の周波数変換、選局、増幅等の信号処理を行う回路、が必要となるため、コストがかかりすぎるという問題がある。
【００１０】
また、エリアワンセグ放送の中継方式として、テレビ放送信号の放送チャンネルを変更して再送信する中継方式を採用した場合、ＳＨＦ帯の電波を利用する場合に比べて、中継用装置のコストを低減することはできるものの、テレビ放送の放送チャンネルは、放送局毎に割り当てられているため、エリアワンセグ放送の中継用として勝手に放送チャンネルを変更することはできない。
【００１１】
また、この場合、エリアワンセグ放送を行う放送局に対し複数のチャンネルを割り当てることも考えられるが、このようにすると、各局間で、放送チャンネルの有効利用を図ることができず、ある地域で、複数の放送局からの同一チャンネルの放送電波が衝突し、その地域では放送局からのサービスを受けることができなくなる、という問題がある。
【００１２】
このため、エリアワンセグ放送の中継方式としては、テレビ放送信号の放送チャンネルを変更することなく、受信したテレビ放送信号を再送信する、ＳＦＮ方式を採用することが望ましい。
【００１３】
しかしながら、ＳＦＮ方式でエリアワンセグ放送を中継するようにすると、中継局で受信する放送局からの送信電波は、中継局から再送信される送信電波と同一であるので、中継局では、再送信した送信電波が、放送局からの送信電波と一緒に受信されることになり、受信信号の品質が劣化して、正常な中継ができなくなるという問題が発生する。
【００１４】
こうした送信電波の回り込みによる問題を防止するには、中継局に、受信信号の中から、自身が再送信した信号成分を除去する回路（所謂、回り込みキャンセラ）を設ければよいが、このような対策では、中継用装置のコストアップを招くことから、エリアワンセグ放送用の中継局では採用することが難しい、という問題がある。
【００１５】
つまり、エリアワンセグ放送は、特定の地域で所謂自主放送を行うものであるため、中継局は低コストで実現する必要があり、中継局に高価な回り込みキャンセラを設置することは難しいのである。
【００１６】
本発明は、こうした問題に鑑みなされたものであり、上述したエリアワンセグ放送を行うワンセグ放送システムにおいて、中継局に回り込みキャンセラを設けることなく、放送局からの放送チャンネルと同一チャンネルで放送信号を再送信できるようにすることを目的とする。
【課題を解決するための手段】
【００１７】
かかる目的を達成するためになされた請求項１に記載の発明は、
デジタルテレビ放送１チャンネルを構成する複数のセグメントの内、特定の一つのセグメントを使ってワンセグ放送を行うワンセグ放送システムであって、
前記ワンセグ放送用の放送データから、予め設定された特定放送チャンネルの特定セグメントのＯＦＤＭ信号を生成し、該生成したＯＦＤＭ信号を放送電波として送信する放送局と、
前記放送局からの送信電波を受信し、該受信信号から前記特定放送チャンネルの特定セグメントのＯＦＤＭ信号を選局すると共に、該選局したＯＦＤＭ信号を、前記特定放送チャンネル内で、前記特定セグメントとは異なるセグメントに周波数変換し、該周波数変換後のＯＦＤＭ信号を放送電波として再送信する中継局と、
を備えたことを特徴とする。
【００１８】
また、請求項２に記載の発明は、請求項１に記載のワンセグ放送システムにおいて、
前記放送局は、前記ワンセグ放送用の放送データから、ワンセグ放送用に割り当てられた放送用セグメントとは異なる中継用セグメントのＯＦＤＭ信号を生成して送信し、
前記中継局は、前記放送局からの送信電波を受信し、該受信信号から前記中継用セグメントのＯＦＤＭ信号を選局し、該選局したＯＦＤＭ信号を前記放送用セグメントに周波数変換して再送信し、
しかも、前記放送局は、前記中継用セグメントのＯＦＤＭ信号を生成する際、該ＯＦＤＭ信号に、前記ワンセグ放送用に割り当てられた放送用セグメントを表すパイロット信号を付加することを特徴とする。
【００１９】
また、請求項３に記載の発明は、請求項１に記載のワンセグ放送システムにおいて、
前記放送局は、前記ワンセグ放送用の放送データから、ワンセグ放送用に割り当てられた放送用セグメントのＯＦＤＭ信号を生成して送信し、
前記中継局は、前記放送局からの送信電波を受信し、該受信信号から前記放送用セグメントのＯＦＤＭ信号を選局し、該選局したＯＦＤＭ信号を前記放送用セグメントとは異なる中継用セグメントのＯＦＤＭ信号に周波数変換して再送信し、
更に、前記中継局からの送信電波を受信し、該受信信号から前記中継用セグメントのＯＦＤＭ信号を選局し、該選局したＯＦＤＭ信号を前記放送用セグメントに周波数変換して再送信する送信局、を備えたことを特徴とする。
【００２０】
また更に、請求項４に記載の発明は、請求項１に記載のワンセグ放送システムにおいて、
前記放送局は、
前記ワンセグ放送用の放送データから、ワンセグ放送用に割り当てられた放送用セグメントのＯＦＤＭ信号を生成すると共に、該生成した放送用セグメントのＯＦＤＭ信号と信号形態及び放送チャンネルが同じで、セグメントが異なる第１中継用セグメントのＯＦＤＭ信号を生成し、該生成した２つのセグメントのＯＦＤＭ信号を放送電波として送信し、
前記中継局は、
前記放送局からの送信電波を受信し、該受信信号から前記第１中継用セグメントのＯＦＤＭ信号を選局し、該選局した第１中継用セグメントのＯＦＤＭ信号を、前記特定放送チャンネル内で前記第１中継用セグメント及び前記放送用セグメントとは異なる第２中継用セグメントに周波数変換し、該周波数変換した第２中継用セグメントのＯＦＤＭ信号を、放送電波として再送信することを特徴とする。
【００２１】
また、請求項５に記載の発明は、請求項４に記載のワンセグ放送システムにおいて、
前記中継局は、
前記選局した第１中継用セグメントのＯＦＤＭ信号を、前記第２中継用セグメントと前記放送用セグメントとの２つのセグメントに周波数変換し、該周波数変換した２つのセグメントのＯＦＤＭ信号を、前記放送電波として再送信することを特徴とする。
【発明の効果】
【００２２】
請求項１に記載のワンセグ放送システムにおいては、ワンセグ放送を行う放送局側で、ワンセグ放送用の放送データから、特定放送チャンネル・特定セグメントのＯＦＤＭ信号が生成され、その生成したＯＦＤＭ信号が、放送電波として送信される。
【００２３】
そして、中継局では、放送局からの送信電波の受信信号から、特定放送チャンネル・特定セグメントのＯＦＤＭ信号が選局され、そのＯＦＤＭ信号が、特定放送チャンネル内で特定セグメントとは異なるセグメントに周波数変換され、その周波数変換後のＯＦＤＭ信号が放送電波として再送信される。
【００２４】
従って、中継局から再送信した放送電波が、中継局にて放送局からの放送電波を受信する受信系に回り込んだとしても、再送信した放送電波が、放送局からの放送電波の受信信号に影響を与えることはない。
【００２５】
このため、中継局では、受信系で得られる受信信号の中から、放送局から送信された特定放送チャンネル・特定セグメントのＯＦＤＭ信号だけを選局して、そのＯＦＤＭ信号を周囲の受信端末に向けて再送信することができる。
【００２６】
よって、本発明によれば、中継局において、放送局から送信されたワンセグ放送用のＯＦＤＭ信号を、品質を低下させることなく再送信することができ、しかも、そのために、中継局に回り込みキャンセラを設ける必要がないので、ワンセグ放送用の中継局を低コストで実現できる。
【００２７】
ここで、放送局は、請求項２に記載のように、ワンセグ放送用の放送データから、ワンセグ放送用に割り当てられた放送用セグメントとは異なる中継用セグメントのＯＦＤＭ信号を生成して送信するように構成してもよく、或いは、請求項３に記載のように、ワンセグ放送用の放送データから、ワンセグ放送用に割り当てられた放送用セグメントのＯＦＤＭ信号を生成して送信するように構成してもよい。
【００２８】
但し、放送局を請求項２に記載のように構成した場合、中継局は、放送局からの送信電波を受信し、その受信信号から中継用セグメントのＯＦＤＭ信号を選局し、その選局したＯＦＤＭ信号を放送用セグメントに周波数変換して再送信するように構成するとよい。
【００２９】
つまり、中継局をこのように構成すれば、中継局から再送信されるＯＦＤＭ信号は、放送用セグメントとして割り当てられたセグメントのＯＦＤＭ信号となるので、中継局からの送信電波を受信した受信端末では、その受信信号からそのワンセグ放送のＯＦＤＭ信号を選局して、放送データを復元できるようになる。
【００３０】
また、請求項２に記載のワンセグ放送システムにおいて、放送局は、中継用セグメントのＯＦＤＭ信号を生成する際、そのＯＦＤＭ信号に、ワンセグ放送用に割り当てられた放送用セグメントを表すパイロット信号を付加する。
【００３１】
以下、この理由について説明する。
まず、ワンセグ放送の受信端末にて、ワンセグ放送を受信するには、放送チャンネルとワンセグ放送に利用されるセグメント（通常、１３セグメントの中央に位置するセグメントである「セグメント０」が利用される）が予め登録されていることが必要である。
【００３２】
そして、実際にワンセグ放送を受信する際には、その登録された放送チャンネル・セグメントのＯＦＤＭ信号を選局することになるが、そのＯＦＤＭ信号を選局して、放送データを復元するには、選局するＯＦＤＭ信号に付与されたパイロット信号（スキャッタードパイロット信号、所謂ＳＰ信号）の構成が、ワンセグ放送用セグメント（例えば、セグメント０）の構成となっている必要がある。
【００３３】
従って、放送局から送信された中継用セグメントのＯＦＤＭ信号に付与されたパイロット信号（ＳＰ信号）の構成が、ワンセグ放送用セグメント（例えば、セグメント０）のパイロット信号の構成と異なる場合には、中継局で、中継用セグメントのＯＦＤＭ信号をワンセグ放送用のＯＦＤＭ信号に周波数変換して、再送信したとしても、受信端末では、ＳＰ信号から、その再送信されたＯＦＤＭ信号が、ワンセグ放送用セグメントとは異なる他セグメントのものであると認識する可能性がある。そして、この場合、受信端末にて、放送データを復元することができなくなってしまう。
【００３４】
そこで、請求項２に記載のワンセグ放送システムにおいては、放送局側で、中継用セグメントのＯＦＤＭ信号を生成する際、そのＯＦＤＭ信号（ＳＰ信号）に、中継用セグメントではなく、ワンセグ放送用セグメントであることを表すパイロット信号（ＳＰ信号）を付加することで、中継局からの送信電波を受信した受信端末にて、ワンセグ放送を視聴できるようにしているのである。
【００３５】
よって、請求項２に記載のワンセグ放送システムによれば、放送局から離れた地域に中継局を設置することで、ワンセグ放送のサービスエリアを拡大できる。
一方、請求項３に記載のワンセグ放送システムにおいては、放送局側で、ワンセグ放送用の放送データから、ワンセグ放送用に割り当てられた放送用セグメントのＯＦＤＭ信号を生成することから、このＯＦＤＭ信号に付与するパイロット信号（ＳＰ信号）には、そのまま当該セグメントを表すものを用いればよく、請求項２に記載のような対策をする必要はない。
【００３６】
そして、請求項３に記載のワンセグ放送システムにおいては、放送局から、ワンセグ放送用に割り当てられた放送用セグメントのＯＦＤＭ信号が送信電波として送信されることから、中継局は、放送局からの送信電波を受信し、その受信信号から放送用セグメントのＯＦＤＭ信号を選局し、その選局したＯＦＤＭ信号を、放送用セグメントとは異なる中継用セグメントのＯＦＤＭ信号に周波数変換して再送信するよう構成する必要がある。
【００３７】
しかし、中継局をこのように構成すると、受信端末で、中継局からの送信電波を受信しても、その受信信号から放送データを復元することはできない。
そこで、請求項３に記載のワンセグ放送システムには、放送局及び中継局とは別に、送信局が設けられている。そして、この送信局は、中継局からの送信電波を受信し、受信信号から中継用セグメントのＯＦＤＭ信号を選局し、その選局したＯＦＤＭ信号を放送用セグメントに周波数変換して再送信する。
【００３８】
従って、受信端末は、放送局若しくは送信局からの送信電波を受信することで、ワンセグ放送を視聴できることになり、請求項２に記載のシステムと同様、ワンセグ放送のサービスエリアを拡大できる。
【００３９】
次に、請求項４に記載のワンセグ放送システムにおいては、放送局が、  ワンセグ放送用の放送データから、ワンセグ放送用に割り当てられた放送用セグメントのＯＦＤＭ信号を生成すると共に、その生成した放送用セグメントのＯＦＤＭ信号と信号形態及び放送チャンネルが同じで、セグメントが異なる第１中継用セグメントのＯＦＤＭ信号を生成し、その生成した２つのセグメントのＯＦＤＭ信号を放送電波として送信する。
【００４０】
なお、第１中継用セグメントのＯＦＤＭ信号は、放送用セグメントのＯＦＤＭ信号と信号形態が同じであるため、これら２つのＯＦＤＭ信号に付与されるパイロット信号（ＳＰ信号）は同じであり、放送用セグメントを表すものとなる。
【００４１】
次に、中継局側では、放送局からの送信電波を受信し、その受信信号から第１中継用セグメントのＯＦＤＭ信号を選局する。そして、選局した第１中継用セグメントのＯＦＤＭ信号は、特定放送チャンネル内で第１中継用セグメント及び放送用セグメントとは異なる第２中継用セグメントに周波数変換され、その周波数変換された第２中継用セグメントのＯＦＤＭ信号が、放送電波として再送信される。
【００４２】
従って、請求項４に記載のワンセグ放送システムによれば、放送局から周囲の受信端末に直接ワンセグ放送の放送信号を配信できると共に、中継局は、放送局から送信されてきた第１中継用セグメントのＯＦＤＭ信号を、第２中継用セグメントのＯＦＤＭ信号に周波数変換して、更に遠くに送信できる。
【００４３】
なお、この場合、中継局から、周囲の受信端末にワンセグ放送の放送信号を配信できるようにするには、中継局を、請求項５に記載のように構成するとよい。
すなわち、請求項５に記載のワンセグ放送システムにおいて、中継局は、選局した第１中継用セグメントのＯＦＤＭ信号を、第２中継用セグメントと放送用セグメントとの２つのセグメントに周波数変換し、その周波数変換した２つのセグメントのＯＦＤＭ信号を、放送電波として再送信する。
【００４４】
従って、この請求項５に記載のワンセグ放送システムによれば、放送局からだけでなく、中継局からも、受信端末にて受信可能な放送用セグメントのＯＦＤＭ信号と、中継用セグメントのＯＦＤＭ信号とを送信することができるようになり、放送局及び中継局から、直接、受信端末にワンセグ放送の放送信号を配信することができると共に、その放送信号を、中継局を介して、更に遠く送信することができる。
【００４５】
また、請求項５に記載のワンセグ放送システムによれば、放送局から第１中継局、第１中継局から第２中継局、…というように、中継局を増加させることにより、ワンセグ放送の放送エリアを更に拡大することができる。
【００４６】
また、中継局は、受信した第１中継用セグメントのＯＦＤＭ信号を、第２中継用セグメントのＯＦＤＭ信号に周波数変換して、送信するので、送信電波の回り込みの影響を受けることなく、放送用セグメント及び放送用セグメントのＯＦＤＭ信号を再送信することができる。
【図面の簡単な説明】
【００４７】
【図１】第１実施形態のワンセグ放送システムの構成及び動作を表す説明図である。
【図２】第１実施形態の放送局の構成を表すブロック図である。
【図３】第１実施形態の中継局の構成を表すブロック図である。
【図４】第２実施形態のワンセグ放送システムの構成及び動作を表す説明図である。
【図５】第２実施形態の放送局の構成を表すブロック図である。
【図６】第２実施形態の中継局及び送信局の構成を表すブロック図である。
【図７】第２実施形態のワンセグ放送システムの変形例を表す説明図である。
【発明を実施するための形態】
【００４８】
以下に本発明の実施形態を図面と共に説明する。
［第１実施形態］
図１に示すように、第１実施形態のワンセグ放送システムは、放送電波を送信する送信アンテナ２を備え、ワンセグ放送を行う放送局４と、放送局４からの放送電波を受信アンテナ６にて受信し、送信アンテナ７から再送信する中継局８ａと、中継局８ａからの放送電波を受信アンテナ６にて受信し、送信アンテナ７から再送信する中継局８ｂと、から構成されている。
【００４９】
放送局４は、ワンセグ放送用の放送データから、ワンセグ放送用に割り当てられた特定放送チャンネル内の特定セグメント（本実施形態では１３個のセグメントの内、中央に位置するセグメント。以下、放送用セグメントという）のＯＦＤＭ信号を放送用信号として生成すると共に、その放送用信号と同一放送チャンネル内で放送用信号とは異なるセグメント（本実施形態では１３個のセグメントの内、最も周波数が低いセグメント。以下第１中継用セグメントという）のＯＦＤＭ信号を第１中継用信号として生成し、この２つのセグメントのＯＦＤＭ信号（放送用信号、第１中継用信号）を、放送電波として送信アンテナ２から送信させる。
【００５０】
また、中継局８ａは、受信アンテナ６からの受信信号を取り込み、受信信号に含まれる第１中継用信号（第１中継用セグメントのＯＦＤＭ信号）を選局し、その選局した第１中継用セグメントのＯＦＤＭ信号（第１中継用信号）を、第１中継用信号と同じ特定放送チャンネル内で放送用セグメントの放送用信号、及び、第１中継用信号と同じ特定放送チャンネル内で第１中継用セグメント及び放送用セグメントとは異なるセグメント（本実施形態では１３個のセグメントの内、最も周波数が高いセグメント。以下第２中継用セグメントという）の中継用信号（第２中継用信号）、にそれぞれ周波数変換し、その２つのセグメントのＯＦＤＭ信号（放送用信号、第２中継用信号）を、放送電波として送信アンテナ７から送信させる。
【００５１】
また、中継局８ｂは、受信アンテナ６からの受信信号を取り込み、受信信号に含まれる第２中継用信号（第２中継用セグメントのＯＦＤＭ信号）を選局し、その選局した第２中継用セグメントのＯＦＤＭ信号（第２中継用信号）を、第２中継用信号と同じ特定放送チャンネル内で放送用セグメントの放送用信号、及び、第２中継用信号と同じ特定放送チャンネル内で第２中継用セグメント及び放送用セグメントとは異なる第１中継用セグメントの中継用信号（第１中継用信号）、にそれぞれ周波数変換し、その２つのセグメントのＯＦＤＭ信号（放送用信号、第１中継用信号）を、放送電波として送信アンテナ７から送信させる。
【００５２】
次に、図２に示すように、放送局４には、ワンセグ放送用のテレビ放送信号を生成して送信アンテナ２から送信させる放送信号送信系として、ＯＦＤＭフレーム構成部１０、ＯＦＤＭフレーム再構成部１２、及び逆離散フーリエ変換部１４からなるデジタル信号処理部と、逆離散フーリエ変換部１４からの出力（デジタルデータ）をアナログ信号に変換するＤ／Ａ変換部１６と、Ｄ／Ａ変換部１６からの出力（テレビ放送信号）を所定の送信レベルまで増幅する増幅器１８と、が備えられている。
【００５３】
ここで、ＯＦＤＭフレーム構成部１０は、映像・音声等からなるワンセグ放送用の放送データとＳＰ（スキャッタードパイロット）信号等の付加データとに基づき、特定放送チャンネルの放送用セグメントだけを使ってワンセグ放送を行うためのテレビ放送信号のＯＦＤＭフレームを構成する。
【００５４】
なお、ＯＦＤＭフレーム構成部１０で放送データに付加されるＳＰ信号は、当該放送データが、テレビ放送信号１チャンネル分を構成する１３個のセグメントの内、中央に位置するワンセグ放送用セグメント（所謂０セグメント）の放送データであることを表す信号であり、通常のテレビ放送で利用されるＳＰ信号と同じである。
【００５５】
また、ＯＦＤＭフレーム再構成部１２では、ＯＦＤＭフレーム構成部１０にて生成されたＯＦＤＭフレーム内の放送用セグメントの放送データを、データ構成を変更することなく（詳しくは、ＳＰ信号はそのままで）、第１中継用セグメントの放送データとしてコピーすることにより、放送用セグメント及び第１中継用セグメントからなるテレビ放送信号のＯＦＤＭフレームを再構成する。
【００５６】
次に、逆離散フーリエ変換部１４は、ＯＦＤＭフレーム再構成部１２にて生成されたＯＦＤＭフレームを逆離散フーリエ変換（ＩＦＦＴ）することにより、放送用セグメント及び第１中継用セグメントからなるテレビ放送信号（詳しくは、そのデジタルデータ）を生成する。
【００５７】
この結果、放送局４では、放送用セグメントに、ワンセグ放送用の放送データが設定され、第１中継用セグメントに、ワンセグ放送用の放送データと同一の放送データが設定され、他のセグメントにはデータが存在しない、特定放送チャンネルのテレビ放送信号が生成され、そのテレビ放送信号が、送信アンテナ２から放送電波として送信される。
【００５８】
次に、中継局８ａは、図３に示すように、放送局４から送信された特定放送チャンネルのテレビ放送信号の中から第１中継用信号を抽出するための選局部２０と、選局部２０にて抽出された第１中継用信号を２分配する分配器２８と、分配器２８を介して第１中継用信号をそれぞれ取り込み、放送用信号及び第２中継用信号に周波数変換する２つ周波数変換部３０、４０と、各周波数変換部３０、４０にて生成された放送用信号及び第２中継用信号を混合することで放送用セグメント及び第２中継用セグメントからなるテレビ放送信号を生成する混合器４８、及び、混合器４８にて生成されたテレビ放送信号を所定レベルまで増幅して送信アンテナ７に出力する増幅器４９、とから構成されている。
【００５９】
また、選局部２０は、周波数変換用の高周波信号を発生する局部発振器２２と、受信アンテナ６からの受信信号と局部発振器２２からの高周波信号とを混合することで、放送局４から送信された特定放送チャンネルのテレビ放送信号を中間周波数帯に周波数変換するミキサ２４と、ミキサ２４にて周波数変換されたテレビ放送信号の内、第１中継用セグメントの信号（第１中継用信号）を通過させるバンドパスフィルタ（以下、ＢＰＦという）２６とから構成されている。
【００６０】
また、周波数変換部３０、４０は、それぞれ、周波数変換用の高周波信号を発生する局部発振器３２、４２と、分配器２８を介して入力される中間周波数帯の第１中継用信号と局部発振器３２、４２からの高周波信号とを混合することで、選局部２０にて選局された第１中継用信号と同一放送チャンネル内の放送用セグメント及び第２中継用セグメントの信号（放送用信号及び第２中継用信号）に周波数変換するミキサ３４、４４と、ミキサ３４、４４にて第１中継用信号を周波数変換することにより得られる放送用信号及び第２中継用信号をそれぞれ通過させるＢＰＦ３６、４６とから構成されている。
【００６１】
従って、中継局８ａでは、放送局４から送信されたテレビ放送信号内の第１中継用信号が、放送用信号、第２中継用信号に周波数変換されて、送信アンテナ７から再送信されることになる。
【００６２】
次に、中継局８ｂは、中継局８ａと同様、選局部２０と、分配器２８と、周波数変換部３０、４０と、混合器４８と、増幅器４９とから構成されており、中継局８ａと異なる点は、選局部２０が、中継局８ａから送信されたテレビ放送信号内の第２中継用信号を選局し、周波数変換部３０、４０が、その選局された中間周波数帯の第２中継用信号を、それぞれ、テレビ放送信号を構成する放送用信号及び第１中継用信号に周波数変換する点である。
【００６３】
従って、中継局８ｂでは、中継局８ａから送信されたテレビ放送信号内の第２中継用信号が、放送用信号、第１中継用信号に周波数変換されて、送信アンテナ７から再送信されることになる。
【００６４】
以上説明したように、本実施形態のワンセグ放送システムによれば、放送局４から、ワンセグ放送用のセグメントに割り当てられた放送用信号（ＯＦＤＭ信号）と、この放送信号と同一のデータ構成で、周波数帯域が第１中継用セグメントに設定された第１中継用信号と、の２つの信号からなる特定放送チャンネルのテレビ放送信号が、送信電波として送信される。
【００６５】
そして、中継局８ａでは、放送局４から送信された特定放送チャンネルのテレビ放送信号内の第１中継用信号が、同一放送チャンネル内の放送用信号、及び、第２中継用信号にそれぞれ周波数変換されて、送信アンテナ７から再送信され、更に、中継局８ｂでは、中継局８ａから送信された特定放送チャンネルのテレビ放送信号内の第２中継用信号が、同一放送チャンネル内の放送用信号、及び、第１中継用信号にそれぞれ周波数変換されて、送信アンテナ７から再送信される。
【００６６】
従って、中継局８ａ、８ｂにおいて、自身の送信アンテナ７から送信した放送用信号及び中継用信号からなる放送電波が、自身の受信アンテナ６に回り込んだとしても、その回り込んだ放送用信号及び中継用信号の影響を受けることなく、再送信用の放送信号及び中継用信号を生成することができる。
【００６７】
また、放送局４では、第１中継用信号を生成する際、放送用信号の放送データをコピーすることから、第１中継用信号の放送データは、放送用信号の放送データと一致する。
このため、ワンセグ放送の受信端末で、放送局４からの送信電波が受信された場合、受信端末で放送データを復元して映像・音声を再生できるのは、放送用信号だけであり、第１中継用信号は、自身のセグメントとＳＰ信号とが一致しないので、ワンセグ放送の受信端末で放送データが復元されることはない。
【００６８】
また、中継局８ａ、８ｂから送信される放送用信号及び中継用信号は、各中継局８ａ、８ｂが受信した第１中継用信号或いは第２中継用信号を周波数変換したものである。
このため、ワンセグ放送の受信端末で、中継局８ａ、８ｂからの送信電波が受信された場合にも、受信端末で放送データを復元して映像・音声を再生できるのは、放送用信号だけであり、中継局８ａ、８ｂから送信された第２中継用信号或いは第１中継用信号が、ワンセグ放送の受信端末で受信・復調されて、放送データが復元されることはない。
【００６９】
よって、本実施形態のワンセグ放送システムによれば、放送局４、中継局８ａ、中継局８ｂから送信されたテレビ放送信号の内、放送用信号が、ワンセグ放送用の受信端末で受信・復調されて、放送データが復元され、放送局４、中継局８ａ、中継局８ｂから送信された中継用信号が、受信端末でのワンセグ放送の受信に悪影響を与えることはない。
【００７０】
また、本実施形態のワンセグ放送システムによれば、放送局４、中継局８ａ、中継局８ｂから放送用信号を送信させるので、ワンセグ放送のサービスエリアを拡大することができる。
【００７１】
特に、本実施形態では、中継局８ａは第１中継用信号を第２中継用信号に周波数変換して送信し、中継局８ｂは第２中継用信号を第１中継用信号に周波数変換して送信することから、中継局８ａ、８ｂを交互に配置して、第１中継用信号及び第２中継用信号を順次中継するようにすれば、ワンセグ放送のサービスエリアを更に拡大することができる。
［第２実施形態］
図４に示すように、第２実施形態のワンセグ放送システムは、送信アンテナ２を備え、ワンセグ放送を行う放送局４と、放送局４からの放送電波を受信アンテナ６にて受信し、送信アンテナ７から再送信する中継局８と、中継局８からの放送電波を受信アンテナ６にて受信し、送信アンテナ７から再送信する送信局９と、から構成されている。
【００７２】
本実施形態の放送局４は、ワンセグ放送用の放送データから、特定放送チャンネル内の放送用セグメント（上記実施形態と同様、１３個のセグメントの内、中央に位置するセグメント）の放送用信号（ＯＦＤＭ信号）を生成し、これを放送電波として送信アンテナ２から送信させるものであり、図５に示すように構成されている。
【００７３】
すなわち、放送局４には、ワンセグ放送用のテレビ放送信号を生成して送信アンテナ２から送信させる放送信号送信系として、ＯＦＤＭフレーム構成部１０及び逆離散フーリエ変換部１４からなるデジタル信号処理部と、逆離散フーリエ変換部１４からの出力をアナログ信号に変換するＤ／Ａ変換部１６と、Ｄ／Ａ変換部１６からの出力（テレビ放送信号）を所定の送信レベルまで増幅する増幅器１８と、が備えられている。
【００７４】
つまり、本実施形態の放送局４の放送信号送信系は、図２に示した第１実施形態のものから、ＯＦＤＭフレーム再構成部１２を削除した構成になっている。
次に、中継局８は、受信アンテナ６からの受信信号を取り込み、受信信号に含まれる特定放送チャンネルの放送用信号（ＯＦＤＭ信号）を選局し、その選局した放送用信号を、その放送用信号と同じ特定放送チャンネル内で放送用セグメントとは異なる中継用セグメント（本実施形態では１３個のセグメントの内、最も周波数が高いセグメント）の信号（中継用信号）に周波数変換し、その中継用信号を放送電波として送信アンテナ７から送信させる。
【００７５】
つまり、本実施形態の中継局８は、図６に示すように、放送局４から送信された特定放送チャンネルのテレビ放送信号の中から放送用信号を抽出するための選局部２０と、選局部２０にて抽出された放送用信号を中継用信号に周波数変換する周波数変換部４０と、周波数変換部４０にて生成された中継用信号を所定レベルまで増幅して送信アンテナ７に出力する増幅器４９、とから構成されている。
【００７６】
なお、選局部２０及び周波数変換部４０の構成は、図３に示した第１実施形態の選局部２０及び周波数変換部４０と同様の構成をしており、第１実施形態のものとは、選局部２０で選局する放送用信号、及び、周波数変換部４０で周波数変換する中継用信号、の周波数が異なる。
【００７７】
また、本実施形態の送信局９は、中継局８と同様に構成されており、中継局８と異なる点は、選局部２０で中継用信号を選局し、周波数変換部４０で中継用信号を放送用信号に周波数変換する点である。
【００７８】
このように構成された本実施形態のワンセグ放送システムによれば、放送局４からは、ワンセグ放送用として予め設定された特定放送チャンネルで、ワンセグ放送用のセグメントとして割り当てられた放送用セグメントの放送用信号だけが送信される。
【００７９】
そして、中継局８では、放送局４から送信された特定放送チャンネル内の放送用信号が、同一放送チャンネル内の中継用信号に周波数変換されて、送信アンテナ７から再送信され、送信局９では、中継局８から送信された特定放送チャンネル内の中継用信号が、同一放送チャンネル内の放送用信号に周波数変換されて、送信アンテナ７から再送信される。
【００８０】
従って、中継局８及び送信局９において、自身の送信アンテナ７から送信した放送電波が、自身の受信アンテナ６に回り込んだとしても、その回り込んだ放送電波に含まれる中継用信号若しくは放送用信号の影響を受けることなく、再送信用の中継用信号若しくは放送用信号を生成することができる。
【００８１】
また、中継局８及び送信局９では、放送局４若しくは中継局８から受信した放送用信号若しくは中継用信号を、中継用セグメント若しくは放送用セグメントの周波数帯に周波数変換するだけであり、周波数変換により得られる中継用信号若しくは放送用信号のデータ内容は、放送局４から送信された放送用信号と一致する。
【００８２】
このため、ワンセグ放送の受信端末では、放送局４及び送信局９から送信された放送用信号を受信した場合には、放送データを復元して映像・音声を再生できるが、中継局８から送信された中継用信号は、自身のセグメントとＳＰ信号とが一致しないので、中継用信号から放送データが復元されることはない。
【００８３】
よって、本実施形態のワンセグ放送システムによれば、受信端末にて、放送局４若しくは送信局９から送信された放送用信号を受信し、放送データを復元する際、その復元動作に、中継局８から送信された中継用信号が悪影響を与えることはない。
【００８４】
また、本実施形態のワンセグ放送システムによれば、放送局４だけでなく、送信局９からも放送用信号を送信させるので、ワンセグ放送のサービスエリアを拡大することができる。
［変形例］
以上、本発明が適用された２つの実施形態について説明したが、本発明は上記実施形態に限定されるものではなく、本発明の要旨を逸脱しない範囲内にて、種々の態様をとることができる。
【００８５】
例えば、第２実施形態では、放送局４から放送用信号を送信し、中継局８から中継用信号を送信し、送信局９が、中継局８から送信された中継用信号を周波数変換することで、周囲の受信端末に、受信端末側で受信・復調可能な放送用信号を再送信するものとして説明したが、図７に示すように、放送局４から中継用信号を送信するようにしてもよい。
【００８６】
そして、この場合、放送局からの送信信号を受信する中継局として、第２実施形態の送信局９を設けるようにすれば、送信局９の周囲の受信端末に、受信端末側で受信・復調可能な放送用信号を配信することができる。
【００８７】
また、放送局４、中継局８、送信局９は、本発明を適用するワンセグ放送システムの規模に応じて、上記各実施形態に記載のものを適宜選択して、配置するようにすればよい。
例えば、第１実施形態のワンセグ放送システムにおいては、最終段の中継局として、第２実施形態の送信局９を設置し、最終段の中継局からは、放送用信号だけを送信するようにしてもよい。
【符号の説明】
【００８８】
２，７…送信アンテナ、４…放送局、６…受信アンテナ、８，８ａ，８ｂ…中継局、９…送信局、１０…ＯＦＤＭフレーム構成部、１２…ＯＦＤＭフレーム再構成部、１４…逆離散フーリエ変換部、１６…Ｄ／Ａ変換部、１８…増幅器、２０…選局部、２２…局部発振器、２４…ミキサ、２６…ＢＰＦ、２８…分配器、３０，４０…周波数変換部、３２，４２…局部発振器、３４，４４…ミキサ、３６，４６…ＢＰＦ、４８…混合器、４９…増幅器。
【図１】
2013214885.tif 000003
【図２】
2013214885.tif 000004
【図３】
2013214885.tif 000005
【図４】
2013214885.tif 000006
【図５】
2013214885.tif 000007
【図６】
2013214885.tif 000008
【図７】
2013214885.tif 000009